(57)【要約】【課題】最も鑑賞に適した顔画像を人物ごとに選択して「かきわり」状のテンプレート画像に合成できる画像処理装置、方法及びプログラムを提供する。【解決手段】Ｓ１０５では、まず目開閉検出部５ａが同一人物の複数の顔画像から目の存在する目領域Ｅを特定する。目領域Ｅの特定は顔輪郭と目との相対的位置関係などから求めることができる。次に、目開閉検出部５ａは複数の顔画像の目領域Ｅ内の縦方向黒色画素数をそれぞれ検出する。そして、目開閉検出部５ａは、目領域Ｅ内の縦方向黒色画素数に基づき、目を閉じている顔画像を特定する。Ｓ１０６では、顔選択部６は同一人物ごとに分類された顔画像の中から、目を閉じている顔画像以外の１つの顔画像をベストショット顔画像として選択する。Ｓ１０７では、合成部７はベストショット顔画像ｆｎ*を合成領域Ｐｎに配置した上、この顔画像ｆｎ*とテンプレート画像とを合成する。【選択図】  図８
2006092026.tif 000002
【特許請求の範囲】
【請求項１】
複数の人物の顔部分を記録した撮影画像を複数入力する撮影画像入力部と、
前記人物の顔部分を検出する検出部と、
前記人物の顔部分の画像である顔画像を前記撮影画像から抽出する抽出部と、
前記抽出された顔画像から同一人物の顔画像を分類する顔分類部と、
前記分類された同一人物の顔画像の中から所望の顔画像の選択を受け付ける選択部と、
前記顔画像を配置する空白の領域である合成領域を有するテンプレート画像を入力するテンプレート画像入力部と、
前記選択された顔画像を前記テンプレート画像の合成領域に配置し、前記合成領域に配置された顔画像と前記テンプレート画像とを合成する合成部と、
を備える画像処理装置。
【請求項２】
複数の人物の顔部分を記録した撮影画像を複数入力する撮影画像入力部と、
前記人物の顔部分を検出する検出部と、
前記人物の顔部分の画像である顔画像を前記撮影画像から抽出する抽出部と、
前記抽出された顔画像から同一人物の顔画像を分類する顔分類部と、
前記分類された同一人物の顔画像の中から目を閉じた顔画像を特定する目開閉検出部と、
前記目を閉じた顔画像以外の顔画像を選択する選択部と、
前記顔画像を配置する空白の領域である合成領域を有するテンプレート画像を入力するテンプレート画像入力部と、
前記選択された顔画像を前記テンプレート画像の合成領域に配置し、前記合成領域に配置された顔画像と前記テンプレート画像とを合成する合成部と、
を備える画像処理装置。
【請求項３】
複数の人物の顔部分を記録した撮影画像を複数入力する撮影画像入力ステップと、
前記人物の顔部分を検出する検出ステップと、
前記人物の顔部分の画像である顔画像を前記撮影画像から抽出する抽出ステップと、
前記抽出された顔画像から同一人物の顔画像を分類する顔分類ステップと、
前記分類された同一人物の顔画像の中から所望の顔画像の選択を受け付ける選択ステップと、
前記顔画像を配置する空白の領域である合成領域を有するテンプレート画像を入力するテンプレート画像入力ステップと、
前記選択された顔画像を前記テンプレート画像の合成領域に配置し、前記合成領域に配置された顔画像と前記テンプレート画像とを合成する合成ステップと、
を含む画像処理方法。
【請求項４】
複数の人物の顔部分を記録した撮影画像を複数入力する撮影画像入力ステップと、
前記人物の顔部分を検出する検出ステップと、
前記人物の顔部分の画像である顔画像を前記撮影画像から抽出する抽出ステップと、
前記抽出された顔画像から同一人物の顔画像を分類する顔分類ステップと、
前記分類された同一人物の顔画像の中から目を閉じた顔画像を特定する目開閉検出ステップと、
前記目を閉じた顔画像以外の顔画像を選択する選択ステップと、
前記顔画像を配置する空白の領域である合成領域を有するテンプレート画像を入力するテンプレート画像入力ステップと、
前記選択された顔画像を前記テンプレート画像の合成領域に配置し、前記合成領域に配置された顔画像と前記テンプレート画像とを合成する合成ステップと、
を含む画像処理方法。
【請求項５】
複数の人物の顔部分を記録した撮影画像を複数入力する撮影画像入力ステップと、
前記人物の顔部分を検出する検出ステップと、
前記人物の顔部分の画像である顔画像を前記撮影画像から抽出する抽出ステップと、
前記抽出された顔画像から同一人物の顔画像を分類する顔分類ステップと、
前記分類された同一人物の顔画像の中から所望の顔画像の選択を受け付ける選択ステップと、
前記顔画像を配置する空白の領域である合成領域を有するテンプレート画像を入力するテンプレート画像入力ステップと、
前記選択された顔画像を前記テンプレート画像の合成領域に配置し、前記合成領域に配置された顔画像と前記テンプレート画像とを合成する合成ステップと、
をコンピュータに実行させる画像処理プログラム。
【請求項６】
複数の人物の顔部分を記録した撮影画像を複数入力する撮影画像入力ステップと、
前記人物の顔部分を検出する検出ステップと、
前記人物の顔部分の画像である顔画像を前記撮影画像から抽出する抽出ステップと、
前記抽出された顔画像から同一人物の顔画像を分類する顔分類ステップと、
前記分類された同一人物の顔画像の中から目を閉じた顔画像を特定する目開閉検出ステップと、
前記目を閉じた顔画像以外の顔画像を選択する選択ステップと、
前記顔画像を配置する空白の領域である合成領域を有するテンプレート画像を入力するテンプレート画像入力ステップと、
前記選択された顔画像を前記テンプレート画像の合成領域に配置し、前記合成領域に配置された顔画像と前記テンプレート画像とを合成する合成ステップと、
をコンピュータに実行させる画像処理プログラム。
【発明の詳細な説明】
【技術分野】
【０００１】
本発明は画像処理装置、画像処理方法及び画像処理プログラムに係り、特に人物を記録した画像の顔部分を抽出してテンプレート画像の所定位置に合成する装置、方法及びプログラムに関する。
【背景技術】
【０００２】
従来、人物画像の顔部分の画像である顔画像と背景画像や服装画像を容易に合成するための技術が様々開発されている。例えば特許文献１によると、背景画像や服装画像などに合成の基準となる２点を指定する一方、顔画像の頭髪領域と顔輪郭の内部を合成に用いる領域とし、顔画像の合成の基準となる２点を指定する。顔画像の合成の基準となる２点は、あごの先端を通る水平線上で、その２点を結ぶ線分の中点があごの先端に、長さが顔の横幅になるように指定する。そして、顔画像に指定された２点と背景画像などに指定された２点が重なるように、顔画像の合成に用いる領域をマッピングして肖像画像を生成する。
【特許文献１】特開平１０−２２２６４９号公報
【発明の開示】
【発明が解決しようとする課題】
【０００３】
ところで最近、人物キャラクタの顔部分がくり抜かれたように空白にしておき、その空白部分に別途複数の人物を撮影した画像から抽出された顔画像をはめ込んで合成するいわゆる「かきわり」状のテンプレート画像が開発されている。この顔画像の抽出元となる人物の撮影画像の中に記録される人数が増えれば、それだけ顔が鮮明に写っていない人物、目をつむっている人物など、鑑賞に適さない顔を記録する確率が高くなる。このような鑑賞に不適当な顔が混在した撮影画像から顔部分を抽出して空白部分に配置すると、顔の鮮明でない画像や目をつむった画像がそのまま合成されることになる。目をつむった人物の場合、目の領域だけを入れ換えるといった方策も考えられるが、眼鏡のフレームなども全く違和感なく入れ換えることは困難である。本発明はこのような問題点に鑑みてなされたもので、最も鑑賞に適した顔画像を人物ごとに選択して「かきわり」状のテンプレート画像に合成できる画像処理装置、方法及びプログラムを提供することを目的とする。
【課題を解決するための手段】
【０００４】
上述の課題を解決するため、本願発明に係る画像処理装置は、複数の人物の顔部分を記録した撮影画像を複数入力する撮影画像入力部と、人物の顔部分を検出する検出部と、人物の顔部分の画像である顔画像を撮影画像から抽出する抽出部と、抽出された顔画像から同一人物の顔画像を分類する顔分類部と、分類された同一人物の顔画像の中から所望の顔画像の選択を受け付ける選択部と、顔画像を配置する空白の領域である合成領域を有するテンプレート画像を入力するテンプレート画像入力部と、選択された顔画像をテンプレート画像の合成領域に配置し、合成領域に配置された顔画像とテンプレート画像とを合成する合成部と、を備える。
【０００５】
この発明によると、複数の撮影画像から抽出された顔画像から同一人物の顔画像を分類し、同一人物の顔画像の中から所望の顔画像の選択を受け付け、選択された各人物の顔画像がテンプレート画像の合成領域にそれぞれ配置されて合成される。即ち、複数の人物のベストショットを人物ごとに任意に選択してテンプレート画像に合成できる。
【０００６】
また、上述の課題を解決するため、本願発明に係る画像処理装置は、複数の人物の顔部分を記録した撮影画像を複数入力する撮影画像入力部と、人物の顔部分を検出する検出部と、人物の顔部分の画像である顔画像を撮影画像から抽出する抽出部と、抽出された顔画像から同一人物の顔画像を分類する顔分類部と、分類された同一人物の顔画像の中から目を閉じた顔画像を特定する目開閉検出部と、目を閉じた顔画像以外の顔画像を選択する選択部と、顔画像を配置する空白の領域である合成領域を有するテンプレート画像を入力するテンプレート画像入力部と、選択された顔画像をテンプレート画像の合成領域に配置し、合成領域に配置された顔画像とテンプレート画像とを合成する合成部と、を備える。
【０００７】
この発明によると、複数の撮影画像から抽出された顔画像から同一人物の顔画像を分類し、同一人物の顔画像の中から目をつむっている顔画像を特定し、目をつむっている顔画像以外の顔画像を選択し、選択された顔画像がテンプレート画像の合成領域に配置されて合成される。即ち、複数の人物の顔画像から目をつむった顔画像を除外して残った顔画像をテンプレート画像に合成できる。
【０００８】
また、上述の課題を解決するため、本願発明に係る画像処理方法は、複数の人物の顔部分を記録した撮影画像を複数入力する撮影画像入力ステップと、人物の顔部分を検出する検出ステップと、人物の顔部分の画像である顔画像を撮影画像から抽出する抽出ステップと、抽出された顔画像から同一人物の顔画像を分類する顔分類ステップと、分類された同一人物の顔画像の中から所望の顔画像の選択を受け付ける選択ステップと、顔画像を配置する空白の領域である合成領域を有するテンプレート画像を入力するテンプレート画像入力ステップと、選択された顔画像をテンプレート画像の合成領域に配置し、合成領域に配置された顔画像とテンプレート画像とを合成する合成ステップと、を含む。
【０００９】
また、上述の課題を解決するため、本願発明に係る画像処理方法は、複数の人物の顔部分を記録した撮影画像を複数入力する撮影画像入力ステップと、人物の顔部分を検出する検出ステップと、人物の顔部分の画像である顔画像を撮影画像から抽出する抽出ステップと、抽出された顔画像から同一人物の顔画像を分類する顔分類ステップと、分類された同一人物の顔画像の中から目を閉じた顔画像を特定する目開閉検出ステップと、目を閉じた顔画像以外の顔画像を選択する選択ステップと、顔画像を配置する空白の領域である合成領域を有するテンプレート画像を入力するテンプレート画像入力ステップと、選択された顔画像をテンプレート画像の合成領域に配置し、合成領域に配置された顔画像とテンプレート画像とを合成する合成ステップと、を含む。
【００１０】
この画像処理方法は、上述の画像処理装置と同様の作用効果を奏する。
【００１１】
また、上述の課題を解決するため、本願発明に係る画像処理プログラムは、複数の人物の顔部分を記録した撮影画像を複数入力する撮影画像入力ステップと、前記人物の顔部分を検出する検出ステップと、前記人物の顔部分の画像である顔画像を前記撮影画像から抽出する抽出ステップと、前記抽出された顔画像から同一人物の顔画像を分類する顔分類ステップと、前記分類された同一人物の顔画像の中から所望の顔画像の選択を受け付ける選択ステップと、前記顔画像を配置する空白の領域である合成領域を有するテンプレート画像を入力するテンプレート画像入力ステップと、前記選択された顔画像を前記テンプレート画像の合成領域に配置し、前記合成領域に配置された顔画像と前記テンプレート画像とを合成する合成ステップと、をコンピュータに実行させる。
【００１２】
また、上述の課題を解決するため、本願発明に係る画像処理プログラムは、複数の人物の顔部分を記録した撮影画像を複数入力する撮影画像入力ステップと、前記人物の顔部分を検出する検出ステップと、前記人物の顔部分の画像である顔画像を前記撮影画像から抽出する抽出ステップと、前記抽出された顔画像から同一人物の顔画像を分類する顔分類ステップと、前記分類された同一人物の顔画像の中から目を閉じた顔画像を特定する目開閉検出ステップと、前記目を閉じた顔画像以外の顔画像を選択する選択ステップと、前記顔画像を配置する空白の領域である合成領域を有するテンプレート画像を入力するテンプレート画像入力ステップと、前記選択された顔画像を前記テンプレート画像の合成領域に配置し、前記合成領域に配置された顔画像と前記テンプレート画像とを合成する合成ステップと、をコンピュータに実行させる。
【００１３】
この画像処理プログラムは、上述の画像処理装置と同様の作用効果を奏する。この画像処理プログラムは、ＣＤ−ＲＯＭ、ＤＶＤ、ＭＯその他のコンピュータ読み取り可能な記録媒体に記録して提供してもよい。
【発明の効果】
【００１４】
この発明によると、複数の撮影画像から抽出された顔画像から同一人物の顔画像を分類し、同一人物の顔画像の中から所望の顔画像の選択を受け付け、選択された各人物の顔画像がテンプレート画像の合成領域にそれぞれ配置されて合成される。即ち、複数の人物のベストショットを人物ごとに任意に選択してテンプレート画像に合成できる。
【００１５】
また、この発明によると、複数の撮影画像から抽出された顔画像から同一人物の顔画像を分類し、同一人物の顔画像の中から目をつむっている顔画像を特定し、目をつむっている顔画像以外の顔画像を選択し、選択された顔画像がテンプレート画像の合成領域に配置されて合成される。即ち、複数の人物の顔画像から目をつむった顔画像を除外して残った顔画像をテンプレート画像に合成できる。
【発明を実施するための最良の形態】
【００１６】
以下、添付した図面を参照し本発明の好ましい実施の形態を説明する。
【００１７】
＜第１実施形態＞
［概略構成］
図１は、本発明の好ましい第１の実施形態に係る画像処理装置１００の概略機能構成図である。画像処理装置１００は、撮影画像入力部１、操作部９、表示部１０、処理部２０及び記憶部３０を有している。撮影画像入力部１はデジタルスチルカメラ、フィルムスキャナ、メディアドライバおよび各種無線・有線通信装置などによって取得した複数の撮影画像を入力する。処理部２０は、ＣＰＵやワンチップマイコンなどによって構成される。顔検出エリア設定部１１、スコア算出部１２、スコア設定部１３、顔検出サイズ設定部１４及び顔検出部１５は、記憶部３０に記憶されたプログラムであり、処理部２０にロードされて実行される。操作部９は、ユーザの操作入力を受け付けるキーボードやタッチパネルなどで構成されている。
【００１８】
顔検出部１５は、公知の顔認識技術により撮影画像から人物の顔部分を検出する。撮影画像に複数の人物が記録されている場合は、複数の顔部分を個別に検出する。顔選択部６は、操作部９の操作によって選択された顔画像を合成部７に出力する。顔画像の分類及び顔画像の選択については後述する。
【００１９】
テンプレート入力部２は、テンプレート画像の入力を受け付ける。図２に示すように、テンプレート画像は、顔画像を合成する空白の領域である合成領域Ｐｎ（この図ではｎ＝１〜３）を有している。合成領域の形状や数、画像の図柄は図示したものに限定されない。テンプレート選択部８は、テンプレート入力部２に複数のテンプレート画像が入力された場合、そのテンプレート画像の中から所望の１つのテンプレート画像の選択を操作部９の操作により受け付け、選択されたテンプレート画像を合成部７に出力する。
【００２０】
合成部７は、顔選択部６の選択・出力した顔画像をテンプレート選択部８の選択・出力したテンプレート画像の合成領域に配置して合成した合成画像を作成する。表示部１０は、液晶ディスプレイなどで構成され、合成画像や顔画像などを表示する。なお、画像処理装置１００は、合成画像を印刷するプリンタ２００と接続されていてもよい。また、図示しないが、画像処理装置１００は、合成画像を所定の記憶媒体に記憶するメディアライタなどを有していてもよい。
【００２１】
［処理の流れ］
次に、図３のフローチャートに基づき、画像処理装置１００の実行する合成処理の流れを説明する。
【００２２】
Ｓ１では、撮影画像入力部１は複数の撮影画像を入力する。図４は撮影画像入力部１に入力される複数の撮影画像の一例である。各撮影画像には、固有の識別番号である撮影画像ＩＤ（ここでは撮影画像ＩＤ＝１〜３）が付与されており、それぞれ同じ複数の人物Ｆｎ（ここではｎ＝１〜３）が記録されている。入力する複数の撮影画像の記録の仕方は特に限定されず、１台のカメラで連続撮影したものであってもよいし、アングルの異なる複数のカメラからの画像であってもよいし、撮影時間も撮影場所も異なるものであってもよい。
【００２３】
Ｓ２では、顔検出部３は撮影画像から人物Ｆｎの顔部分を検出する。例えば、図４（ａ）に示す撮影画像ＩＤ＝１の撮影画像においては、人物Ｆ１の顔部分ｆ１’、人物Ｆ２の顔部分ｆ２*、人物Ｆ３の顔部分ｆ３*が検出される。図４（ｂ）に示す撮影画像ＩＤ＝２の撮影画像においては、人物Ｆ１の顔部分ｆ１*、人物Ｆ２の顔部分ｆ２’、人物Ｆ３の顔部分ｆ３が検出される。図４（ｃ）に示す撮影画像ＩＤ＝３の撮影画像においては、人物Ｆ１の顔部分ｆ１’、人物Ｆ２の顔部分ｆ２、人物Ｆ３の顔部分ｆ３’が検出される。
【００２４】
Ｓ３では、トリミング部４は、検出された人物Ｆｎの顔部分の画像である顔画像を各撮影画像から抽出する。以下、各顔部分に対応する顔画像も顔部分と同様の記号ｆ１*、ｆ２’、ｆ３などで表す。Ｓ４では、顔分類部５は各撮影画像から抽出された顔画像を同一人物の顔画像ごとに分類する。例えば、人物Ｆ１の顔画像として、顔画像ｆ１’、ｆ１*、ｆ１’が分類される。同様に、人物Ｆ２の顔画像として、顔画像ｆ２*、ｆ２’、ｆ２が、人物Ｆ３の顔画像として、顔画像ｆ３*、ｆ３、ｆ３’が分類される。顔画像を同一人物の顔画像ごとに分類する方法の一例としては、顔の輪郭、目・鼻・口の相対的位置関係など顔部分から得られる特徴量を比較し、特徴量が適合する顔部分同士を同一人物の顔画像として分類することが挙げられる。あるいは、複数の撮影画像を記録する際、人物ごとに撮影位置を固定しておき、ほぼ同じ座標に記録された人物の顔部分を同一人物の顔画像として分類することが挙げられる。
【００２５】
表示部１０は、人物Ｆｎごとに分類された顔画像を一覧表示する。図５は人物Ｆｎごとに分類された顔画像の表示例である。この内、図５（ａ）は人物Ｆ１の顔画像、図５（ｂ）は人物Ｆ２の顔画像、図５（ｃ）は人物Ｆ３の顔画像を一覧表示している。
【００２６】
Ｓ５では、顔選択部６はテンプレート画像と合成する所望の顔画像を人物Ｆｎごとに分類された顔画像の中から選択させる。図５では、ユーザが操作部９によってカーソルＳを移動させて所望の顔画像を選択した状態を示している。図５（ａ）ではカーソルＳによってｆ１*が、図５（ｂ）ではｆ２*が、図５（ｃ）ではｆ３*がテンプレート画像と合成する画像として選択されている。
【００２７】
Ｓ６では、合成部７は選択された人物Ｆｎの顔画像ｆｎ*を合成領域Ｐｎに配置した上、この顔画像ｆｎとテンプレート画像とを合成する。合成部７は、顔画像ｆｎが合成領域Ｐｎに適切に合成されるよう顔画像ｆｎ*を適宜拡縮、アスペクト比変更、センタリング、色変更などの画像処理をした上で合成してもよい。図６は顔画像ｆｎとテンプレート画像とが合成された様子を示している。
【００２８】
なお、ステップＳ１〜６を処理部２０に実行させる画像処理プログラムは、記憶部３０に記憶されている。画像処理プログラムは、ＣＤ−ＲＯＭ、ＤＶＤ、ＭＯその他のコンピュータ読み取り可能な記録媒体に記録して処理部２０に提供してもよい。
【００２９】
以上説明した通り、顔分類部５は複数の撮影画像から抽出された顔画像を同一人物ごとに分類し、顔選択部６は分類された同一人物の顔画像の中から合成に用いる所望の顔画像の選択を受け付ける。合成部７は選択された顔画像をテンプレートの合成領域に配置して合成する。即ち、複数の撮影画像から抽出・分類された各人物の顔画像の中から鑑賞に適した最良の顔画像をユーザが任意に選択して「かきわり」状のテンプレート画像に合成することができる。
【００３０】
＜第２実施形態＞
図７は、本発明の第２の実施形態に係る画像処理装置１００のブロック構成図である。この画像処理装置１００は、第１実施形態と異なり、顔分類部５が目開閉検出部５ａを有している。目開閉検出部５ａは、目を閉じた顔画像を特定するが、詳細は後述する。
【００３１】
図８は第２実施形態に係る合成処理のフローチャートである。この処理のステップＳ１０１〜１０４は第２実施形態に係る合成処理のＳ１〜４と同様であるため説明は省略する。一方、Ｓ１０５〜１０６はＳ５〜６と異なり画像処理装置１００がテンプレート画像との合成に適さない顔画像を自動的に除外する。以下、ステップＳ１０５〜１０７を説明する。
【００３２】
Ｓ１０５では、図９に示すように、まず目開閉検出部５ａが同一人物の複数の顔画像（この図ではｆｎ*とｆｎの２枚）から目の存在する目領域Ｅを推定する。目領域Ｅは顔検出の結果得られる顔概略中心位置の相対的位置関係から推定することができる。次に、目開閉検出部５ａは複数の顔画像の目領域Ｅ内の縦方向黒色画素数をそれぞれ検出する。この図では、顔画像ｆｎ*、ｆｎの目領域Ｅ内の縦方向黒色画素数をそれぞれｌ*、ｌで表している。そして、目開閉検出部５ａは、目領域Ｅ内の縦方向黒色画素数に基づき、目を閉じている顔画像を特定する。
【００３３】
Ｓ１０６では、顔選択部６は同一人物ごとに分類された顔画像の中から、目を閉じている顔画像以外の１つの顔画像をベストショット顔画像として選択する。なお、通常同一人物が２枚の撮影画像でともに目をつむった状態で記録される確率は低いと考えられるため、入力する撮影画像は２枚で十分である。ただし、入力する撮影画像が３枚以上でもよく、同一人物の顔画像が３枚以上ある場合、顔選択部６は目領域Ｅ内の縦方向黒色画素数が最大の顔画像をベストショット顔画像として選択するようにしてもよい。
【００３４】
Ｓ１０７では、合成部７はベストショット顔画像ｆｎ*を合成領域Ｐｎに配置した上、この顔画像ｆｎ*とテンプレート画像とを合成する。合成部７は、顔画像ｆｎ*が合成領域Ｐｎに適切に合成されるよう顔画像ｆｎ*を適宜拡縮、アスペクト比変更、センタリング、色変更などの画像処理をした上で合成してもよい。
【００３５】
なお、ステップＳ１０１〜１０７を処理部２０に実行させる画像処理プログラムは、記憶部３０に記憶されている。画像処理プログラムは、ＣＤ−ＲＯＭ、ＤＶＤ、ＭＯその他のコンピュータ読み取り可能な記録媒体に記録して処理部２０に提供してもよい。
【００３６】
以上説明した通り、本実施形態の画像処理装置は、目を閉じている顔画像以外の顔画像を人物ごとに選択して合成領域に合成する。即ち、各人物の複数の顔画像から鑑賞に適さない顔画像を自動的に除外し、残りの顔画像を「かきわり」状のテンプレート画像に合成することができる。
【図面の簡単な説明】
【００３７】
【図１】第１実施形態に係る画像処理装置の概略機能構成図
【図２】テンプレート画像の外観を示す図
【図３】第１実施形態に係る合成処理の流れを示すフローチャート
【図４】複数の撮影画像の外観を示す図
【図５】分類された同一人物の顔画像を示す図
【図６】テンプレート画像に顔画像が合成された状態を示す図
【図７】第２実施形態に係る画像処理装置の概略機能構成図
【図８】第２実施形態に係る合成処理の流れを示すフローチャート
【図９】同一人物の顔画像における目領域を示す図
【符号の説明】
【００３８】
１：撮影画像入力部、２：テンプレート入力部、３：顔検出部、４：トリミング部、５：顔分類部、６：顔選択部、７：合成部、８：テンプレート選択部、９：操作部、１０：表示部、２０：処理部
【図１】
2006092026.tif 000003
【図２】
2006092026.tif 000004
【図３】
2006092026.tif 000005
【図４】
2006092026.tif 000006
【図５】
2006092026.tif 000007
【図６】
2006092026.tif 000008
【図７】
2006092026.tif 000009
【図８】
2006092026.tif 000010
【図９】
2006092026.tif 000011